(57)【要約】【課題】医療用バルーンを簡単に取りつけることのできる医療用バルーン装着ジグを提供する。【解決手段】医療用バルーン装着ジグ１０は、医療用バルーン２６を医療器具２８に装着するためにバルーン端部２６Ａを拡径するジグであり、バルーン端部２６Ａに挿入される複数のピン部材１２Ａ〜１２Ｄと、ピン部材１２Ｃ、１２Ｄが挿通されてガイドされる開口部２２Ｃ、２２Ｄ、２４Ｃ、２４Ｄとを有し、その開口部同士が部分的に重なるように配置される一対のガイド部材１４Ａ、１４Ｂと、一対のガイド部材１４Ａ、１４Ｂを支持するとともに、開口部２２Ｃ、２４Ｃの重なり位置と開口部２２Ｄ、２４Ｄが移動するように一対のガイド部材１４Ａ、１４Ｂを移動させる支持部材１６と、を備える。【選択図】      図１
2008142324.tif 000002
【特許請求の範囲】
【請求項１】
医療用バルーンを医療器具に装着するために医療用バルーンの端部を拡径する医療用バルーン装着ジグにおいて、
前記医療用バルーンの端部に挿入される複数のピン部材と、
前記複数のピン部材の少なくとも一つが挿通され、該ピン部材のガイドと成る開口部を有し、該開口部同士が部分的に重なるように配置される一対のガイド部材と、
前記一対のガイド部材を支持するとともに、前記開口部の重なり位置が移動するように前記一対のガイド部材を移動させる支持部材と、を備え、
前記開口部の重なり位置に前記ピン部材を挿通させるとともに、前記支持部材で前記一対のガイド部材を移動させることによって、前記複数のピン部材が集合位置から拡散位置に移動することを特徴とする医療用バルーン装着ジグ。
【請求項２】
前記一対のガイド部材は、一方が「＜」形状、他方が「＞」形状に形成され、二カ所で重なるように配置されるとともに、
前記ピン部材は、前記二カ所の重なり位置と、前記各ガイド部材の屈曲位置とに設けられ、
前記支持部材は、前記屈曲位置のピン部材の間隔が拡縮するように前記一対のガイド部材を移動させることを特徴とする請求項１に記載の医療用バルーン装着ジグ。
【請求項３】
前記支持部材は、その中間部で揺動自在に連結された二本のアーム部材を備え、該二本のアーム部材の先端部分にそれぞれ前記ガイド部材が取りつけられることを特徴とする請求項２に記載の医療用バルーン装着ジグ。
【請求項４】
前記支持部材は、前記アーム部材の基端部分同士の間隔を拡げることによって前記アーム部材の先端部同士の間隔が狭まり、前記アーム部材の基端部分同士の間隔を狭めることによって前記アーム部材の基端部分同士の間隔が拡がることを特徴とする請求項３に記載の医療用バルーン装着ジグ。
【請求項５】
前記一対のガイド部材は、同軸状に配置された一対の円盤状部材であり、一方の円盤状部材がもう一方の円盤状部材に対して回動自在に設けられるとともに、
前記一方の円盤状部材には前記開口部が径方向に形成され、もう一方の円盤状部材には前記開口部が螺旋状に形成され、
前記ピン部材は、前記径方向の開口部と前記螺旋状の開口部に挿通されることを特徴とする請求項１に記載の医療用バルーン装着ジグ。
【請求項６】
前記一対のガイド部材は、前記ピン部材の軸方向に複数組設けられ、該複数組のガイド部材の開口部に前記ピン部材が挿通されることを特徴とする請求項１〜５のいずれか１に記載の医療用バルーン装着ジグ。
【請求項７】
前記ピン部材は、前記開口部の重なり位置で外側に拡がるように屈曲されることを特徴とする請求項１〜６のいずれか１に記載の医療用バルーン装着ジグ。
【発明の詳細な説明】
【技術分野】
【０００１】
本発明は医療用バルーン装着ジグに係り、特に内視鏡の挿入部またはその挿入部の挿入操作を補助する挿入補助具に医療用バルーンを装着するための医療用バルーン装着ジグに関する。
【背景技術】
【０００２】
近年、膨縮自在なバルーンを装着した内視鏡装置が開発されている。たとえば、小腸や大腸を観察する消化管観察用の内視鏡装置では、内視鏡挿入部の外周面に膨縮自在なバルーンを装着し、このバルーンを消化管内で膨張させることによって挿入部を消化管に固定している。また、内視鏡挿入部を挿通させてその挿入操作を補助する筒状の挿入補助具（オーバーチューブまたはスライディングチューブとも言う）の外周面にバルーンを装着し、このバルーンを消化管内で膨張させることによって挿入補助具を消化管に固定することもある。さらに、超音波内視鏡装置では、挿入部の超音波振動子を囲むようにバルーンを装着し、このバルーンに超音波伝達媒体（たとえば水）を充填させることによって超音波の伝達効率を向上させ、正確な診断を行っている。
【０００３】
ところで、バルーンは通常、両方の端部が開口された筒状、または、一方の端部が開口された袋状に形成されている。また、バルーンの端部は自然状態（膨張させない状態）で医療器具の装着部分（挿入部や挿入補助具など）よりも小さくなっており、バルーンの端部を膨張させながら医療器具を挿通させることによってバルーンの装着作業が行われる。しかし、バルーンの端部を膨張させながら、医療器具を挿通させる作業は非常に煩わしいという問題があり、従来より改善が望まれている。そこで、特許文献１には、弾性体で形成され、口径が変化するバルーン装着治具が開示されている。
【特許文献１】特開平７−１３６１６８号公報
【発明の開示】
【発明が解決しようとする課題】
【０００４】
しかしながら、従来のものは、操作性が不十分であり、バルーンの装着作業を簡単に行うことができないという問題があった。
【０００５】
また、開口部を開くための器具としては、鼻鏡や膣鏡などの器具が存在するが、これらを用いても、医療用バルーンの端部は一方向に拡がるだけであり、バルーンの端部を医療器具に簡単に取り付けることができないという問題があった。
【０００６】
本発明はこのような事情に鑑みてなされたもので、医療用バルーンを簡単に取りつけることのできる医療用バルーン装着ジグを提供することを目的とする。
【課題を解決するための手段】
【０００７】
請求項１に記載の発明は前記目的を達成するために、医療用バルーンを医療器具に装着するために医療用バルーンの端部を拡径する医療用バルーン装着ジグにおいて、前記医療用バルーンの端部に挿入される複数のピン部材と、前記複数のピン部材の少なくとも一つが挿通され、該ピン部材のガイドと成る開口部を有し、該開口部同士が部分的に重なるように配置される一対のガイド部材と、前記一対のガイド部材を支持するとともに、前記開口部の重なり位置が移動するように前記一対のガイド部材を移動させる支持部材と、を備え、前記開口部の重なり位置に前記ピン部材を挿通させるとともに、前記支持部材で前記一対のガイド部材を移動させることによって、前記複数のピン部材が集合位置から拡散位置に移動することを特徴とする。
【０００８】
請求項１の発明によれば、医療用バルーンの端部に係合させた複数のピン部材を集合位置から拡散位置に移動させることによって、医療用バルーンの端部を拡径することができる。したがって、請求項１の発明によれば、支持部材によって一対のガイド部材を移動させるだけで医療用バルーンの端部を拡径することができ、医療用バルーンの医療器具への装着作業を容易に行うことができる。
【０００９】
また、請求項１の発明は、一対のガイド部材の単純な動きによって、複数のピン部材を集合位置から拡散位置に複雑に移動させることができる。たとえば、一対のガイド部材を１８０°反対方向に動かすことによって、複数のピン部材を放射状に移動させることができる。このように、一対のガイド部材の一次元的な動きを複数のピン部材の二次元の動きに変換することによって、医療用バルーンの端部を簡単に拡径させることができる。
【００１０】
さらに、本発明によれば、複数のピン部材を集合位置から拡散位置に放射状に移動させることが可能になる。このように複数のピン部材を放射状に移動させた場合、鼻鏡や膣鏡などのように一方向に開く場合よりも、医療用バルーンの端部をより効果的に拡径させることができる。
【００１１】
なお、本発明において「集合位置」とは複数のピン部材が一カ所又は狭い範囲に集まった状態をいい、「拡散位置」とは複数のピン部材の一部又は全部が「集合位置」よりも外側に移動した状態をいう。したがって、「集合位置」のピン部材を全て通る円よりも、「拡散位置」のピン部材を全て通る円の方が大径であり、ピン部材を集合位置から拡散位置に移動させることによって、医療用バルーンの端部を拡径させることができる。
【００１２】
また、本発明において、医療器具とは医療分野でバルーンが装着される器具であれば良く、たとえば、内視鏡の挿入部やその挿入を補助する挿入補助具などである。
【００１３】
請求項２に記載の発明は請求項１の発明において、前記一対のガイド部材は、一方が「＜」形状、他方が「＞」形状に形成され、二カ所で重なるように配置されるとともに、前記ピン部材は、前記二カ所の重なり位置と、前記各ガイド部材の屈曲位置とに設けられ、前記支持部材は、前記屈曲位置のピン部材の間隔が拡縮するように前記一対のガイド部材を移動させることを特徴とする。
【００１４】
請求項２の発明によれば、屈曲位置のピン部材同士の間隔を狭めた際に、全てのピン部材が集合した集合状態となり、屈曲位置のピン部材同士の間隔を広げた際に、全てのピン部材同士の間隔が広がって拡散状態となる。したがって、請求項２の発明によれば、ピン部材を用いて医療用バルーンの端部を広げることができ、医療用バルーンの端部を医療器具に容易に装着することができる。
【００１５】
請求項３に記載の発明は請求項２の発明において、前記支持部材は、その中間部で揺動自在に連結された二本のアーム部材を備え、該二本のアーム部材の先端部分にそれぞれ前記ガイド部材が取りつけられることを特徴とする。
【００１６】
請求項３の発明によれば、二本のアーム部材の基端部分の間隔を拡縮することによって、アーム部材の先端部分に取りつけた一対のガイド部材を簡単に移動させることができる。
【００１７】
請求項４に記載の発明は請求項３の発明において、前記支持部材は、前記アーム部材の基端部分同士の間隔を拡げることによって前記アーム部材の先端部同士の間隔が狭まり、前記アーム部材の基端部分同士の間隔を狭めることによって前記アーム部材の基端部分同士の間隔が拡がることを特徴とする。
【００１８】
請求項５に記載の発明は請求項１の発明において、前記一対のガイド部材は、同軸状に配置された一対の円盤状部材であり、一方の円盤状部材がもう一方の円盤状部材に対して回動自在に設けられるとともに、前記一方の円盤状部材には前記開口部が径方向に形成され、もう一方の円盤状部材には前記開口部が螺旋状に形成され、前記ピン部材は、前記径方向の開口部と前記螺旋状の開口部に挿通されることを特徴とする。
【００１９】
請求項５の発明によれば、一方の円盤状部材をもう一方の円盤状部材に対して回動させることによって、径方向の開口部と螺旋状の開口部との重なり位置が径方向に移動するので、ピン部材を、中央に集まった集合位置と、外側に拡散した拡散位置とで移動させることができる。
【００２０】
請求項６に記載の発明は請求項１〜５のいずれか１の発明において、前記一対のガイド部材は、前記ピン部材の軸方向に複数組設けられ、該複数組のガイド部材の開口部に前記ピン部材が挿通されることを特徴とする。
【００２１】
請求項６の発明によれば、複数組のガイド部材にピン部材が挿通されるので、ピン部材は、その軸方向に複数箇所で係合される。したがって、ピン部材の姿勢を安定させることができ、たとえば、複数のピン部材を平行に配した際には、その平行状態を常に維持することができる。
【００２２】
請求項７に記載の発明は請求項１〜６のいずれか１の発明において、前記ピン部材は、前記開口部の重なり位置で外側に拡がるように屈曲されることを特徴とする。
【００２３】
請求項７の発明によれば、ピン部材が開口部の重なり位置で外側に拡がるように屈曲されるので、ピン部材は、開口部の重なり位置の部分が最も外側に配置され、その他の部分（たとえば医療用バルーンの端部に挿入される部分）がより近接した位置に集合される。したがって、集合状態のピン部材を医療用バルーンの端部に対してより簡単に挿入することができる。
【発明の効果】
【００２４】
本発明によれば、医療用バルーンの端部に係合させた複数のピン部材を集合位置から拡散位置に移動させることによって、医療用バルーンの端部を拡径することができる。したがって、本発明によれば、支持部材によって一対のガイド部材を移動させるだけで医療用バルーンの端部を拡径することができ、医療用バルーンの医療器具への装着作業を容易に行うことができる。
【発明を実施するための最良の形態】
【００２５】
以下添付図面に従って本発明に係る医療用バルーン装着ジグの好ましい実施の形態について詳述する。
【００２６】
図１は第１の実施形態の医療用バルーン装着ジグ（以下、単に装着ジグという）１０を示す斜視図である。また、図２、図３は、装着ジグ１０の動作を説明する説明図であり、図２はピン部材１２Ａ〜１２Ｄの集合状態を示し、図３はピン部材１２Ａ〜１２Ｄの拡散状態を示している。
【００２７】
これらの図に示すように、第１の実施形態の装着ジグ１０は主として、ピン部材１２Ａ、１２Ｂ、１２Ｃ、１２Ｄと、一対のガイド部材１４Ａ、１４Ｂと、支持部材１６とで構成される。
【００２８】
支持部材１６は、一対のアーム部材１６Ａ、１６Ｂを備え、このアーム部材１６Ａ、１６Ｂは、その中間部分が連結ピン２０により回動自在に連結されている。したがって、アーム部材１６Ａ、１６Ｂは、その基端部分１７Ａ、１７Ｂ同士の間隔を拡縮することによって、アーム部材１６Ａ、１６Ｂの先端部分１８Ａ、１８Ｂ同士の間隔が拡縮される。先端部分１８Ａ、１８Ｂにはそれぞれ、円弧状の連結部材１９Ａ、１９Ｂを介してガイド部材１４Ａ、１４Ｂが取り付けられている。
【００２９】
図２に示すように、ガイド部材１４Ａは略「＜」形状に形成されており、その二カ所の基端部分が連結部材１９Ａを介してアーム部材１６Ａの先端部分１８Ａに固定されている。一方、ガイド部材１４Ｂは略「＞」形状に形成されており、その二カ所の基端部分が連結部材１９Ｂを介してアーム部材１６Ｂの先端部分１８Ｂに固定されている。
【００３０】
また、ガイド部材１４Ａとガイド部材１４Ｂは平面視において二カ所で重なるように配置されている。なお、各ガイド部材１４Ａ、１４Ｂの屈曲角度は特に限定するものではないが、９０°であることが好ましい。
【００３１】
ガイド部材１４Ａには、二つの開口部２２Ｃ、２２Ｄが形成されている。二つの開口部２２Ｃ、２２Ｄは、ガイド部材１４Ａの二つの基端部分から先端側に向けて一定幅で形成されている。一方、ガイド部材１４Ｂには、二つの開口部２４Ｃ、２４Ｄが形成されている。この二つの開口部２４Ｃ、２４Ｄは、ガイド部材１４Ｂの二つの基端部分から先端側に向けて形成されている。ガイド部材１４Ａとガイド部材１４Ｂは、開口部２２Ｃと開口部２４Ｃが部分的に重なり、開口部２２Ｄと開口部２４Ｄが部分的に重なるように配置されている。
【００３２】
開口部２２Ｃと開口部２４Ｃの重なり位置にはピン部材１２Ｃが挿通され、開口部２２Ｄと開口部２４Ｄの重なり位置にはピン部材１２Ｄが挿通されている。ピン部材１２Ｃ、１２Ｄは円柱状に形成されており、その外径寸法は開口部２２Ｃ、２２Ｄ、２４Ｃ、２４Ｄの幅寸法よりも若干小さく形成されている。また、ピン部材１２Ｃ、１２Ｄは、ガイド部材１４Ａ、１４Ｂから脱落しないように、抜け止めリング２６、２６が両側から取りつけられている。
【００３３】
上記の如く構成されたピン部材１２Ｃは、常に開口部２２Ｃ、２４Ｃに係合した状態に保たれ、ピン部材１２Ｄは、常に開口部２２Ｄ、２４Ｄに係合した状態に保たれる。すなわち、ガイド部材１４Ａ、１４Ｂを相対的に移動させることによって、開口部２２Ｃ、２４Ｃの重なり位置と、開口部２２Ｄ、２４Ｄの重なり位置を移動させると、ピン部材１２Ｃ、１２Ｄはその重なり位置の移動に伴って移動する。たとえば、図２に示すように、二つの重なり位置が先端側で且つ中央側に移動した際には、ピン部材１２Ｃ、１２Ｄは先端側で且つ中央側に移動する。また、図３に示すように、二つの重なり位置が基端側で且つ両サイド側に移動した場合には、ピン部材１２Ｃ、１２Ｄは基端側で且つ両サイド側に移動する。
【００３４】
上述したピン部材１２Ｃ、１２Ｄは、図１に示すように、ガイド部材１４Ａ、１４Ｂに対して直交する方向に配置されており、その状態を保ったまま重なり位置とともに移動するように構成されている。本実施形態では、ピン部材１２Ｃ、１２Ｄをそれぞれ一対のガイド部材１４Ａ、１４Ｂに対して一カ所ずつで係合させるようにしたが、後述するように二カ所以上で係合させてもよい。
【００３５】
各ガイド部材１４Ａ、１４Ｂには、先端側の屈曲位置（すなわち尖った部分）に、ピン部材１２Ａ、１２Ｂが立設されている。このピン部材１２Ａ、１２Ｂは、ピン部材１２Ｃ、１２Ｄと同じ形状に形成されており、ピン部材１２Ｃ、１２Ｄと平行に配置されている。
【００３６】
上述したピン部材１２Ａ〜１２Ｄは、その一方の端部（図１の下端部）においてガイド部材１４Ａ、１４Ｂに固定または係合されている。したがって、ピン部材１２Ａ、１２Ｂ、１２Ｃ、１２Ｄは、ガイド部材１４Ａ、１４Ｂから大きく突出した状態になっている。その突出量は、後述する医療用バルーン２６の端部２６Ａを確実に係合できるような長さになっており、たとえば、医療用バルーン２６が筒状である場合には、そのバルーン２６の軸方向長さよりも長く突出するように構成されている。
【００３７】
次に上記の如く構成された装着ジグ１０の作用について図４（Ａ）〜図４（Ｅ）を用いて説明する。以下は、筒状に形成された医療用バルーン２６を装着する例で説明する。このバルーン２６は、シリコンゴムなどの弾性体から成り、自然状態でその両端部２６Ａ、２６Ａが中央部２６Ｂよりも窄まった筒状に形成されている。バルーン２６の端部２６Ａの内径は自然状態で、医療器具２８の外径よりも小さくなっている。なお、バルーン２６の形状は筒状に限定されるものではなく、袋状であってもよい。
【００３８】
図１のアーム部材１６Ａ、１６Ｂの基端部分１７Ａ、１７Ｂ同士の間隔を拡げると、その先端部分１８Ａ、１８Ｂ同士の間隔が拡がり、ガイド部材１４Ａ、１４Ｂ同士の間隔は図２に示す如く拡がって、ピン部材１２Ａ、１２Ｂの間隔が狭まる。その際、開口部２２Ｃ、２４Ｃの重なり位置と開口部２２Ｄ、２４Ｄの重なり位置は、先端側で且つ中央側に移動する。したがって、ピン部材１２Ｃ、１２Ｄは、先端側で且つ中央側（すなわちピン部材１２Ａ、１２Ｂ側に近づく方向に）移動する。これにより、図４（Ａ）に示すように全てのピン部材１２Ａ〜１２Ｄが一カ所に集まった集合状態になる。この状態で、図４（Ｂ）に示すように、全てのピン部材１２Ａ〜１２Ｄをバルーン２６の端部２６Ａに挿入する。その際、全てのピン部材１２Ａ〜１２Ｄが集合状態にあるので、バルーン２６の端部２６Ａに容易に挿通させることができる。
【００３９】
この状態で、図１のアーム部材１６Ａ、１６Ｂの基端部分１７Ａ、１７Ｂ同士の間隔を狭めると、その先端部分１８Ａ、１８Ｂ同士の間隔が狭まるので、ガイド部材１４Ａ、１４Ｂ同士の間隔は図３に示す如く狭まり、ピン部材１２Ａ、１２Ｂの間隔が拡がる。その際、開口部２２Ｃ、２４Ｃの重なり位置と開口部２２Ｄ、２４Ｄの重なり位置は、基端側で且つ両サイド側に移動する。これにより、ピン部材１２Ａ〜１２Ｄが離れた拡散状態になるので、図４（Ｃ）に示すように、バルーン２６の端部２６Ａを拡げることができる。
【００４０】
次に、図４（Ｄ）に示すようにピン部材１２Ａ〜１２Ｄの内側に内視鏡挿入部や挿入補助具などの医療器具２８を挿通させる。その際、ピン部材１２Ａ〜１２Ｄが拡散状態にあるので、医療器具２８を医療用バルーン２６の端部２６Ａに容易に挿通させることができる。医療器具２８を挿通させた後、ピン部材１２Ａ〜１２Ｄをバルーン２６から引き抜く。そして、バルーン２６の端部２６Ａ、２６Ａを糸やゴムリングによって医療器具２８に固定する。以上の操作によって、バルーン２６が図４（Ｅ）に示す如く医療器具２８に装着される。
【００４１】
このように本実施の形態によれば、アーム部材１６Ａ、１６Ｂの基端部分１７Ａ、１７Ｂ同士の間隔を拡げるだけでピン部材１２Ａ〜１２Ｄが集合状態になり、バルーン２６の端部２６Ａに容易に挿通させることができ、反対に、アーム部材１６Ａ、１６Ｂの基端部分１７Ａ、１７Ｂ同士の間隔を狭めるだけでピン部材１２Ａ〜１２Ｄが拡散状態になり、バルーン２６の端部２６Ａを容易に拡げることができる。特に本実施の形態では、ガイド部材１４Ａ、１４Ｂが１８０°反対方向に動く一次元的な運動を、ピン部材１２Ａ〜１２Ｄが四方向に放射状に移動する二次元的な運動に変換したので、バルーン２６の端部２６Ａなどの輪状収縮物をより効果的に拡径させることができる。これにより、本実施の形態によれば、アーム部材１６Ａ、１６Ｂの操作だけで、バルーン２６の端部２６Ａを容易に拡げることができ、バルーン２６の装着作業を容易に行うことができる。
【００４２】
なお、第１の実施形態では、アーム部材１６Ａと連結部材１９Ａ、アーム部材１６Ｂと連結部材１９Ｂとを固定したが、ピンなどによって回動自在に連結してもよい。
【００４３】
また、上述した第１の実施形態は、ピン部材１２Ａ〜１２Ｄを一カ所で固定又は係合させるようにしたが、ピン部材１２Ａ〜１２Ｄが常に平行な状態を維持するために、二カ所以上で固定又は係合することが好ましい。たとえば、図５は、ピン部材１２Ａ〜１２Ｄを二カ所で固定又は係合させた例である。同図において、ガイド部材１４Ａ、１４Ｂはそれぞれ二つずつ設けられている。二つのガイド部材１４Ａ、１４Ａは、ピン部材１２Ａ〜１２Ｄの軸方向に間隔をあけて平行に設けられるとともにアーム部材１６Ａに固定され、同時に同じ動きをするようになっている。同様に、ガイド部材１４Ｂ、１４Ｂは、ピン部材１２Ａ〜１２Ｄの軸方向に間隔をあけて平行に設けられるとともにアーム部材１６Ｂに固定され、同時に同じ動きをするようになっている。一方、ピン部材１２Ａは、二つのガイド部材１４Ａ、１４Ａによって二カ所で固定され、ピン部材１２Ｂは、二つのガイド部材１４Ｂ、１４Ｂによって二カ所で固定されている。また、ピン部材１２Ｃは、ガイド部材１４Ａの開口部２２Ｃとガイド部材１４Ｂの開口部２４Ｃに挿通され、さらにもう一方のガイド部材１４Ａの開口部２２Ｃとガイド部材１４Ｂの開口部２４Ｃに挿通され、二カ所で係合される。同様に、ピン部材１２Ｄは、ガイド部材１４Ａの開口部２２Ｄとガイド部材１４Ｂの開口部２４Ｄに挿通され、さらにもう一方のガイド部材１４Ａの開口部２２Ｄとガイド部材１４Ｂの開口部２４Ｄに挿通され、二カ所で係合される。このようにピン部材１２Ａ〜１２Ｄを複数箇所で固定又は係合させることによって、ピン部材１２Ａ〜１２Ｄが平行な状態を保ったままピン部材１２Ａ〜１２Ｄを移動させることができる。なお、図１の装着ジグ１０において、ガイド部材１４Ａ、１４Ｂの厚みを十分に確保することによって、ピン部材１２Ａ〜１２Ｄが平行に保たれるようにしてもよい。
【００４４】
また、上述した第１の実施形態は、直線状に形成したピン部材１２Ａ〜１２Ｄを用いたが、これに限定するものではなく、屈曲させたものを用いてもよい。たとえば、図６は、に示すピン部材１２Ａ〜１２Ｄは、ガイド部材１４Ａ、１４Ｂに係合又は固定される部分のみが外側に離れて配置され、それよりも先端側の部分が内側に集まり、且つ、平行になるように屈曲されている。さらに、ピン部材１２Ｃ、１２Ｄは、図７に示すように、その基端部が先端部と同じ方向に屈曲されている。ピン部材１２Ｃの基端部とピン部材１２Ｄの基端部には、ゴムリング等の環状付勢部材２９によって近接方向に付勢されている。これにより、ピン部材１２Ｃ、１２Ｄは、その先端部分が常に近接するようになっている。上記の如く構成された装着ジグによれば、ピン部材１２Ａ〜１２Ｄを集合方向に移動させた際に、ピン部材１２Ａ〜１２Ｄを完全な集合状態（すなわち互いに当接する状態）になるまで移動させることができる。したがって、ピン部材１２Ａ〜１２Ｄをバルーン２６の端部２６Ａにより簡単に挿通させることができる。
【００４５】
なお、第１の実施形態では、ガイド部材１４Ａを「＜」形状、ガイド部材１４Ｂを「＞」形状としたが、後述する第２の実施形態のようにガイド部材１４Ａを「＞」形状、ガイド部材１４Ｂを「＜」形状としてもよい。すなわち、ガイド部材１４Ａ、１４Ｂの屈曲位置を先端とするのではなく、屈曲位置を基端としてアーム部材１６Ａ、１６Ｂに連結するようにしてもよい。
【００４６】
図８は第２の実施形態の装着ジグ３０を示す平面図である。同図に示すように、第２の実施形態の装着ジグ３０は、アーム部材３２Ａ、３２Ｂが連結ピン２０の位置で外側に屈曲されている。すなわち、第２の実施形態では、アーム部材３２Ａが略「＜」形状に形成され、アーム部材３２Ｂが略「＞」形状に形成され、両方の屈曲部分が連結ピン２０によって回動自在に連結されている。したがって、アーム部材３２Ａ、３２Ｂの基端部分３３Ａ、３３Ｂ同士の間隔を狭めると、アーム部材３２Ａ、３２Ｂの先端部分３４Ａ、３４Ｂ同士の間隔が拡がるようになっている。なお、一対のアーム部材３２Ａ、３２Ｂには、連結ピン２０よりも先端側に引っ張りバネ３６が取りつけられており、アーム部材３２Ａ、３２Ｂの先端部分３４Ａ、３４Ｂが狭まる方向に付勢される。
【００４７】
また、第２の実施形態では、ガイド部材１４Ａが略「＞」形状、ガイド部材１４Ｂが略「＜」形状に形成されている。ガイド部材１４Ａ、１４Ｂはそれぞれ、屈曲位置が基端側に配置されてアーム部材３２Ａ、３２Ｂの先端部分３４Ａ、３４Ｂに連結されている。なお、ガイド部材１４Ａ、１４Ｂには、第１の実施形態と同様に、屈曲位置にピン部材１２Ａ、１２Ｂが固定されるとともに、開口部２２Ｃ、２４Ｃの重なり位置にピン部材１２Ｃが挿通され、開口部２２Ｄ、２４Ｄの重なり位置にピン部材１２Ｄが挿通されている。
【００４８】
上記の如く構成された第２の実施形態では、通常、引っ張りバネ３６の付勢力によって、アーム部材３２Ａ、３２Ｂの先端部が狭まった状態、すなわち、一対のガイド部材１４Ａ、１４Ｂの間隔が狭まった状態になっている。この状態では、ピン部材１２Ａ、１２Ｂの間隔が狭まっており、且つ、ピン部材１２Ｃ、１２Ｄがピン部材１２Ａ、１２Ｂ側に近寄った集合状態になっている。したがって、自然状態でピン部材１２Ａ〜１２Ｄが集合状態であり、ピン部材１２Ａ〜１２Ｄをバルーン２６の端部２６Ａに容易に挿通させることができる。
【００４９】
また、第２の実施形態では、アーム部材３２Ａ、３２Ｂの基端部分３３Ａ、３３Ｂ同士の間隔を狭めることによって、アーム部材３２Ａ、３２Ｂの先端部分３４Ａ、３４Ｂ同士の間隔、すなわち、一対のガイド部材１４Ａ、１４Ｂ同士の間隔が拡げられる。この状態は、ピン部材１２Ａ、１２Ｂ同士の間隔が拡がり、且つ、ピン部材１２Ｃ、１２Ｄがピン部材１２Ａ、１２Ｂから離れた拡散状態である。したがって、ピン部材１２Ａ〜１２Ｄによってバルーン２６の端部２６Ａを拡げることができ、バルーン２６の端部２６Ａに医療器具２８を容易に挿通させることができる。
【００５０】
このように第２の実施形態によれば、アーム部材３２Ａ、３２Ｂの基端部分３３Ａ、３３Ｂ同士の間隔を狭めることによって、ピン部材１２Ａ〜１２Ｄを集合状態から拡散状態に移動させることができ、バルーン２６の端部２６Ａを拡げて装着作業を容易に行うことができる。
【００５１】
なお、第２の実施形態においても、図５に示したようにピン部材１２Ａ〜１２Ｄを複数箇所で固定又は係合するとよい。さらに、図６及び図７に示したようにピン部材１２Ａ〜１２Ｄの先端側を内側に屈曲させて、ピン部材１２Ａ〜１２Ｄの先端部分が完全に集合するようにしてもよい。
【００５２】
図９は、第３の実施形態の装着ジグ４０を示す平面図である。
【００５３】
第３の実施形態では、ガイド部材１４Ａが略「＞」形状に形成され、逆コ字状の本体ケース４２に固定されている。一方、ガイド部材１４Ｂは略「＜」形状に形成され、スライド部材４４に一体的に形成されている。スライド部材４４は、本体ケース４２に矢印方向にスライド自在に取りつけられており、スライドすることによってガイド部材１４Ａ、１４Ｂの重なり位置が変化するようになっている。
【００５４】
上記の如く構成された第３の実施形態によれば、スライド部材４４を本体ケース４２にスライドさせることによって、ピン部材１２Ａ〜１２Ｄを集合状態から拡散状態に移動させることができる。すなわち、スライド部材４４を図９の右方向にスライドさせることによって、ピン部材１２Ａ〜１２Ｄを集合位置に配置することができ、反対にスライド部材４４を図９の左方向にスライドさせることによってピン部材１２Ａ〜１２Ｄを拡散位置に配置することができる。よって、スライド部材４４のスライド操作だけでバルーン２６の端部２６Ａを拡げることができる。
【００５５】
なお、上述した第３の実施形態において、スライド部材４４と本体ケース４２の間にバネやゴムなどの付勢手段を設け、スライド部材４４が本体ケース４２に対して図９の右方向に付勢されるように構成することが好ましい。
【００５６】
また、上述した第３の実施形態の本体ケース４２とスライド部材４４を、第１の実施形態のアーム部材１６Ａ、１６Ｂ、又は、第２の実施形態のアーム部材３２Ａ、３２Ｂを利用して移動させるようにしてもよい。たとえば、図１０に示す装着ジグ５０は、図１に示したアーム部材１６Ａ、１６Ｂの先端部分１８Ａ、１８Ｂにそれぞれスライド部材４４と本体ケース４２が連結されている。先端部分１８Ａとスライド部材４４は連結ピン５２を介して回動自在に連結され、先端部分１８Ｂと本体ケース４２は連結ピン５４を介して連結されている。したがって、アーム部材１６Ａ、１６Ｂを操作することによって、スライド部材４４を本体ケース４２にスライドさせることができ、ピン部材１２Ａ〜１２Ｄを集合状態から拡散状態に移動させることができる。
【００５７】
さらに、第３の実施形態において、ピン部材１２Ａ〜１２Ｄを複数箇所で固定又は係合するとよい。この場合、複数のスライド部材４４を平行に配置し、ピン部材１２Ａ〜１２Ｄの基端部を複数のスライド部材４４に固定又は係合させるとよい。また、ピン部材１２Ａ〜１２Ｄの先端側を内側に屈曲させて、ピン部材１２Ａ〜１２Ｄの先端部分が完全に集合するようにしてもよい。
【００５８】
なお、上述した第１〜第３の実施形態では、開口部２２Ｃ、２４Ｃの重なり位置や開口部２２Ｄ、２４Ｄの重なり位置に沿って移動する移動型のピン部材１２Ｃ、１２Ｄと、ガイド部材１４Ａ、１４Ｂに固定した固定型のピン部材１２Ａ、１２Ｂをそれぞれ二本ずつ設けたが、ピン部材１２Ａ〜１２Ｄの個数はこれに限定するものではない。たとえば、固定型のピン部材を一つだけ設けたり、固定型のピン部材を設けずに移動型のピン部材だけ設けたり、或いは、移動型のピン部材を３個以上設けたりしてもよい。
【００５９】
また、上述した第１〜第３の実施形態では、ガイド部材１４Ａ、１４Ｂを略「＜」形状又は略「＞」形状としたが、ガイド部材１４Ａ、１４Ｂの形状はこれに限定するものではなく、たとえば、略Ｕ状を横向きにした形状であってもよい。
【００６０】
図１１は第４の実施形態の装着ジグ６０を示す斜視図であり、図１２はその分解斜視図である。また、図１３はピン部材７０Ａ〜７０Ｄが集合状態である装着ジグ６０の正面図であり、図１４はピン部材７０Ａ〜７０Ｄが拡散状態である装着ジグ６０の正面図である。
【００６１】
これらの図に示すように、第４の実施形態の装着ジグ６０は、円盤状に形成された一対のガイド部材６２、６４を備え、このガイド部材６２、６４が同軸状に配置され、且つ、ガイド部材６４がガイド部材６２に対して回動自在に支持されている。
【００６２】
ガイド部材６２には、四つの開口部６６Ａ〜６６Ｄが形成されている。この開口部６６Ａ〜６６Ｄは径方向に形成されており、等角度間隔に配置されている。もう一方のガイド部材６４には、螺旋状に形成された四つの開口部６８Ａ〜６８Ｄが設けられている。この開口部６８Ａ〜６８Ｄは、等角度間隔で配置され、且つ、一方のガイド部材６２の開口部６６Ａ〜６６Ｄに部分的に重なるように配置されている。したがって、ガイド部材６２、６４は、四カ所で開口部６６Ａ〜６６Ｄと開口部６８Ａ〜６８Ｄの重なり位置を有している。この重なり位置は、一方のガイド部材６２を他方のガイド部材６４に対して回動させることによって、径方向に移動される。
【００６３】
各重なり位置には、ピン部材７０Ａ〜７０Ｄが設けられている。ピン部材７０Ａ〜７０Ｄは、両方の開口部６６Ａ〜６６Ｄ、６８Ａ〜６８Ｄに挿通され、且つ、ガイド部材６２、６４から抜け落ちないように両側から抜け止め部材７２が取り付けられている。したがって、ピン部材７０Ａ〜７０Ｄは、開口部６６Ａ〜６６Ｄと開口部６８Ａ〜６８Ｄの重なり位置の移動に伴って径方向に移動される。
【００６４】
また、各ピン部材７０Ａ〜７０Ｄは、その一方の端部においてガイド部材６２、６４に係合され、残りの大部分がガイド部材６２、６４から突出している。さらに、各ピン部材７０Ａ〜７０Ｄは、ガイド部材６２、６４に対して直交する方向に平行に配置されており、各ピン部材７０Ａ〜７０Ｄがその姿勢を保ったまま移動するようになっている。
【００６５】
上記の如く構成された第４の実施形態によれば、ガイド部材６４をガイド部材６２に対して回動させることによって、開口部６６Ａ〜６６Ｄと開口部６８Ａ〜６８Ｄの重なり位置が径方向に移動する。したがって、全てのピン部材７０Ａ〜７０Ｄを径方向に同時に移動させることができる。これにより、ピン部材７０Ａ〜７０Ｄを図１３に示す内側の集合位置から、図１４に示す外側の拡径位置に移動させることができる。よって、図１３に示した集合状態のピン部材７０Ａ〜７０Ｄをバルーン２６の端部２６Ａに挿入した後、ピン部材７０Ａ〜７０Ｄを図１４に示した拡散位置に移動させることによってバルーン２６の端部を容易に拡げることができる。
【００６６】
なお、上述した第４の実施形態は、ピン部材７０Ａ〜７０Ｄの数を四本としたが、ピン部材の個数は３個又は５個以上であってもよい。ピン部材の数を増やして円状に配置することによって、バルーン２６の端部２６Ａをより円に近い形状に拡げることができ、医療器具２８の挿入をより確実に行うことができる。
【００６７】
また、上述した第４の実施形態は、開口部６８Ａ〜６８Ｄを螺旋状に形成したが、開口部６８Ａ〜６８Ｄの形状はこれに限定するものではなく、内側位置と外側位置とで周方向に位置がずれた形状であればよい。したがって、開口部６８Ａ〜６８Ｄがたとえば径方向に対して斜めに形成された直線状であってもよい。
【００６８】
さらに、上述した第４の実施形態では、ピン部材７０Ａ〜７０Ｄを一カ所で係合させるようにしたが、これに限定するものではなく、複数箇所で係合させるようにするとよい。たとえば、二つのガイド部材６２、６２でガイド部材６４を挟んだサンドイッチ構造にするとともに、二つのガイド部材６２、６２に対してガイド部材６４を回動自在に支持するようにするとよい。これにより、ピン部材７０Ａ〜７０Ｄは、二つのガイド部材６２、６２によって二カ所で係合されるので、ピン部材７０Ａ〜７０Ｄを平行状態で安定させることができる。
【００６９】
また、第４の実施形態において、ピン部材７０Ａ〜７０Ｄの先端部が内側に寄るように屈曲させると、ピン部材７０Ａ〜７０Ｄを完全に集合させることができ、ピン部材７０Ａ〜７０Ｄをバルーン２６の端部２６Ａにより簡単に挿通させることができる。
【００７０】
なお、上述した第１〜第４の実施形態は、医療用バルーン２６の端部２６Ａを拡径するために装着ジグを使用したが、本発明の用途はこれに限定するものではない。たとえば、医療用バルーン２６を医療器具２８に装着した後、その端部２６Ａを固定するためのゴムリングを拡径させて医療器具２８に装着する用途で使用してもよい。また、肛門や膣などの輪状伸縮物を拡径させる医療器具として使用してもよい。さらに、本発明の装着ジグは、医療分野だけでなく、輪状伸縮物を拡径させる必要のある様々な分野で使用することが可能である。
【図面の簡単な説明】
【００７１】
【図１】第１の実施形態のバルーン装着ジグを示す斜視図
【図２】ピン部材が集合状態であるバルーン装着ジグを示す平面図
【図３】ピン部材が拡散状態であるバルーン装着ジグを示す平面図
【図４】バルーンの取り付け方法を示す説明図
【図５】図１と異なる構成のバルーン装着ジグを示す斜視図
【図６】図５と異なる構成のバルーン装着ジグを示す斜視図
【図７】図６のピン部材１２Ｃ、１２Ｄの位置での断面図
【図８】第２の実施形態のバルーン装着ジグを示す平面図
【図９】第３の実施形態のバルーン装着ジグを示す平面図
【図１０】図９と異なるバルーン装着ジグを示す平面図
【図１１】第４の実施形態のバルーン装着ジグを示す斜視図
【図１２】図１１のバルーン装着ジグの分解斜視図
【図１３】ピン部材が集合状態であるバルーン装着ジグを示す正面図
【図１４】ピン部材が拡散状態であるバルーン装着ジグを示す正面図
【符号の説明】
【００７２】
１０…バルーン装着ジグ、１２Ａ〜１２Ｄ…ピン部材、１４Ａ、１４Ｂ…ガイド部材、１６…支持部材、１６Ａ、１６Ｂ…アーム部材、２２Ｃ、２２Ｄ、２４Ｃ、２４Ｄ…開口部、２６…バルーン、２８…医療器具、３０…バルーン装着ジグ、３２Ａ、３２Ｂ…アーム部材、３６…引っ張りバネ、４０…バルーン装着ジグ、４２…本体ケース、４４…スライド部材、６０…装着ジグ、６２、６４…ガイド部材、６６Ａ〜６６Ｄ…開口部、６８Ａ〜６８Ｄ…開口部、７０Ａ〜７０Ｄ…ピン部材
【図１】
2008142324.tif 000003
【図２】
2008142324.tif 000004
【図３】
2008142324.tif 000005
【図４】
2008142324.tif 000006
【図５】
2008142324.tif 000007
【図６】
2008142324.tif 000008
【図７】
2008142324.tif 000009
【図８】
2008142324.tif 000010
【図９】
2008142324.tif 000011
【図１０】
2008142324.tif 000012
【図１１】
2008142324.tif 000013
【図１２】
2008142324.tif 000014
【図１３】
2008142324.tif 000015
【図１４】
2008142324.tif 000016